(57)【特許請求の範囲】
【請求項１】
廃合成樹脂製品を滑降路を滑降させながら加熱器で加熱して軟化収縮させる廃合成樹脂製品の収縮機であって、
この収縮機の滑降路は、ある距離毎に反対方向へ折り返すジグザグとすることで廃合成樹脂製品が必要な時間を経て終端へ達するように形成され、
加熱手段は、滑降路を滑降する廃合成樹脂製品を軟化しても溶解はしないように加熱するものである
ことを特徴とする廃合成樹脂製品の収縮機。
【請求項２】
ある距離毎に反対方向へ折り返すジグザグに形成した滑降路を振動機により振動させて廃合成樹脂製品の滑降を助成させた
ことを特徴とする請求項１記載の廃合成樹脂製品の収縮機。
【発明の詳細な説明】
【０００１】
【発明の属する技術分野】
本発明は、嵩張る廃合成樹脂製品を小さく収縮させて再生等の処理をし易くする廃合成樹脂製品の収縮機に関する。
【０００２】
【従来の技術】
１００〜２００℃の加熱室内に、前面が開口する通気性の収縮筐を水平に架設し、該収縮筐内に合成樹脂製品の廃物を入れ、収縮筐を毎分１５回転以下の速度で回転させることにより、合成樹脂製品を原料塊の状態に縮小させる収縮機は、本発明者の発明になる特公昭５６−５１８９１号公報により知られている。
【０００３】
しかしながらこの収縮機は、収縮筐に廃合成樹脂製品を収容して廃合成樹脂品の処理が終わる都度、収縮筐の中から処理品を取り出して、新たな廃合成樹脂製品を収容する入れ替えを人手により行わなければならないから、この入れ替えなしで収縮処理ができる機械の実現が要望されている。
【０００４】
【発明が解決しようとする課題】
そこで、本発明に係る廃合成樹脂製品の収縮機は、廃合成樹脂製品を収容して置けば、これが収縮して自動的に排出されるため入れ替えが不要となる廃合成樹脂製品の収縮機を提供することを課題とする。
【０００５】
【課題を解決するための手段】
前記課題を解決するため、本発明に係る廃合成樹脂製品の収縮機は、下記の構成を採用することを特徴とする。
請求項１に係る発明は、廃合成樹脂製品を滑降路を滑降させながら加熱器で加熱して軟化収縮させる廃合成樹脂製品の収縮機であって、この収縮機の滑降路は、ある距離毎に反対方向へ折り返すジグザグ状とすることで廃合成樹脂製品が必要な時間を経て終端へ達するように形成され、加熱手段は、滑降路を滑降する廃合成樹脂製品をこれが軟化しても溶解はしないように加熱するものであること。
請求項２に係る発明は、ある距離毎に反対方向へ折り返すジグザグに形成した滑降路を振動機により振動させて廃合成樹脂製品の滑降を助成させたこと。
【０００６】
【発明の実施の形態】
以下に本発明に係る廃合成樹脂製品の収縮機の実施の形態を図面に基づいて説明する。
【０００７】
図１〜図３において符号Ａは、滑降路３をジグザグ型にした廃合成樹脂製品の収縮機である。この処理機Ａは、脚１４により適当な高さに保持される箱型の枠体１５と、この枠体１５内にある距離毎に反対方向へ折り返すジグザグの滑降路３と、この滑降路３に沿わせてその外側に廃合成樹脂製品イを加熱４させるように設けた加熱器４とで構成される。
【００１３】
前記収縮機Ａのジグザグ型の滑降路３は、その上部に廃合成樹脂製品イの所要量が収容される収容部１６を設け、この収容部１６を前記枠体１５に蝶着１７して締金１８による閉止ができる蓋１９により開閉させるようにして、この蓋１９の天面には排気口２０を設け、下部には滑降路３を滑降する間に収縮した処理品ロを前記枠体１５の下部に支持させた着脱式処理品容器１０の回収袋１０ａへ排出させるための処理品出口２１を設けるもので、滑降路３の傾斜角度は２０度〜５０度の範囲内に設定し、長さは総延長を２ｍ〜３ｍに設定して、滑降路３を通過する間に廃合成樹脂製品イが原料の塊に近い状態に収縮して処理品出口２へ達し、ここから処理品ロとして排出されるようにする。なお、滑降路３の廃合成樹脂製品イが滑降する壁は、平滑に保たれる必要があるから、ステンレス板でもよいが、好ましくはテフロンコーティング板を取り付けて、その外面に断熱材２３を取り付ける。また、前記箱型の枠体１と収容部１６及び滑降路３の間には空間ができるから、この空間を空気断熱とするか、保温性をよくしたい場合は、断熱材（図面省略）を充填し、更に、収容部１６と蓋１９との接触部にはシール部材２４を装着する。
【００１４】
廃合成樹脂製品イを加熱する加熱器は、直管状の赤外線ヒーター４を使用する場合、これを廃合成樹脂製品イの収容部１６の傾斜底壁と、ジグザグ滑降路３の廃合成樹脂製品イが滑降する壁とは反対の各壁とに設置する。そして、これらの壁を穿孔板または金網等の多孔体２５とし、その外側に赤外線ヒーター４を水平に設置し、赤外線ヒーター４の背部には凹弧状の反射板２６を設ける。また、収容部１６の傾斜底部に設けられる反射板２６は、その下端と多孔体２５との間に隙間２７ができるようにして、多孔体２５を通って屑等が落ちてきてもこれらを隙間２７から排出することができるようにする。
【００１５】
図４はジグザグ滑降路型の小型の廃合成樹脂製品収縮機Ａを示すものである。この収縮機Ａは、廃合成樹脂製品イの収容部１６が下つぼまりのテーパー状に形成されていて、一方の壁の下端が滑降路３の壁を兼ねるよう構成される。そして、滑降路３の始端は廃合成樹脂製品イが滑降する側と、その反対側の壁の両方を多孔体２５として各々の外側に赤外線ヒーター４を設け、赤外線ヒーター４の背部に凹弧状の反射板２６を取り付けて廃合成樹脂製品イを両側から加熱させる。しかし、以後の滑降路３においては廃合成樹脂製品イが滑降する壁とは反対側の壁を多孔体２５として、その外側に赤外線ヒーター４を設け、背部に反射板２６を設けて一方から加熱させるようにしたもので、滑降路３の始端側に設けられる反射板２６は、その下端を多孔体２５との間には多孔体１５を通った屑等を排出する隙間２７を設けられている。
【００１６】
図１〜図４に示す収縮機Ａにおいては加熱器に主として赤外線ヒーター４を用いているが、加熱器はこの赤外線ヒーター４に限定されるものではなく、廃合成樹脂製品イを軟化するが溶解はしないように加熱しえる温度と熱量が得られるものであれば任意に選択使用できることは勿論である。
【００１７】
前記ジグザグ滑降路型の廃合成樹脂製品の収縮機Ａは、廃合成樹脂製品イに箸等の異物が混入しているとこれに滑降を阻害されるので、滑降路３の終端の処理品出口２１の外側等にバイブレーター１１を取り付け、このバイブレーター１１により滑降路３を振動させて、この振動により廃合成樹脂製品イを異物が混入していても順調に滑降させるようにする。
【００１８】
前記した各廃合成樹脂製品の収縮機Ａは、滑降路３と、廃合成樹脂製品イの収容部１６が存在する場合は、これらの部分を処理する廃合成樹脂製品イの材質に応じた適温に加熱保持させるため、滑降路３または収容部１６の温度をセンサ（図面省略）により検知させて、この温度が廃合成樹脂製品イが軟化しても溶解はしない温度に保持されるように加熱器４への通電を制御させたり、廃合成樹脂製品イが収容部５へ供給されると加熱器４やバイブレーター１１を作動させ、廃合成樹脂製品イの収縮処理が終わって処理品ロの排出が途絶えると、加熱器４及びバイブレーター１１の作動を停止させる等の操作を自動的に行わせるためマイコン利用等の制御器等を使用するものであるが、これは周知手段に属するものであから図解並び説明は省略する。
【００１９】
前記ジグザグ滑降路型の廃合成樹脂製品の収縮器Ａは、各種の合成樹脂製品、発泡合成樹脂の箱、パッキン材、トレー、フィルム製ボトル、その他の廃合成樹脂製品イをその大きさに応じて単独か、多くを合成樹脂の袋に入れて収容部１６へ収容し、蓋１９を閉じて赤外線ヒーター４を作動させると、廃合成樹脂製品イの収容部１６と滑降路３が処理する廃合成樹脂製品イの材質に応じた適温に加熱されるから、廃合成樹脂製品イは下側のものから加熱により軟化して、軟化すると小さく縮む性質により次第に収縮しながら収容部５から滑降部３へ進み、この滑降路３をジグザグに沿って折り返しつつ滑降し、この間にも加熱による軟化状態が持続されるから、廃合成樹脂製品イは滑降路３の終端へ達するまでに原料の塊に近い状態まで収縮して出口２１から処理品ロとして処理品容器１０の回収袋１ａへ落ち込むから、廃合成樹脂製品イの収縮処理は処理品ロと廃合成樹脂製品イとの入れ替えの面倒もなく自動的に行われる。また、図４に示すものは、食品トレー等の廃合成樹脂製品イを収容部１６へ収容すると、その下側のものから加熱による軟化で縮んで滑降路３へ滑り込み、滑降路３をジグザグに沿って滑降して行く間に軟化の持続により収縮度を増し、滑降路３の終端に達するまでに原料の塊に近い状態となり、処理出口２１から処理品容器１０内の回収袋１０へ自動的に回収されるものである。
【００２０】
次に本発明に係る廃合成樹脂製品の収縮機による収縮処理の実験例を示せば下記の通りである。
【００２１】
実験例１
食品用トレーの処理時間
機種                  立上がり        連続          平均
図１〜３の収縮機      ３．５分        ２分          ２．５分
図４の収縮機          １．５分        １分          １分
【００２２】
実験例２
ボトル、発泡スチロール箱、その他、雑多なもの処理時間
機種                  立上がり        連続            平均
図１〜３の収縮機      ５分            ３分            ３．５分
図４の収縮機          ３分            １．５分        ２分
【００２３】
【発明の効果】
請求項１に係る発明の効果
（１）廃合成樹脂製品を供給手段により滑降路へ供給して加熱器により軟化しても溶解はしない温度に加熱するだけで、廃合成樹脂製品は滑降路を降下してこの間に軟化により縮まり、原料の塊に近い状態の処理品となって自動的に処理品容器へ収容させるから、従来の収縮処理に比べて人手がかからない。
（２）処理品が原料の塊に近い状態にあるため、粉砕処理が容易確実に行われて希望する粒度の粉末原料を低コストで歩留まりよく得ることができる。
（３）滑降路をジグザグ状にしたから小さい床面積に必要十分な長さの滑降路を得て、狭少な場所へ設置できて、形式上の熱の無駄がなくなって消費エネルギーの節約効果も大である。
請求項２に係る発明の効果  ジグザグ状に形成される滑降路を振動機で振動させると、廃合成樹脂製品に箸等の滑降を阻害する異物が混入していても、振動による助成で滑降路を順調に滑降して適切な収縮処理を施される。
【図面の簡単な説明】
【図１】  本発明に係る廃合成樹脂製品の収縮機を示す正面図である。
【図２】  同上の一部分を省略した縦断正面図である。
【図３】  同上の一部分を破断して示す側面図である。
【図４】  ジグザグ型の滑降路を変形させた他の例の一部分を省略した縦断正面図である。
【符号の説明】
Ａ  廃合成樹脂製品の収縮機
３  ジグザグ型の滑降路
４  加熱器
【図１】
0003971501.tif 000002
【図２】
0003971501.tif 000003
【図３】
0003971501.tif 000004
【図４】
0003971501.tif 000005